(57)【要約】      （修正有）【課題】直線状の構造材を多数連結することによってバラエティーに富んだ什器を簡単に構成することができて、しかもこの什器を簡単にばらすことができ、自身の使い回しを十分行うことのできる連結体を提供する。【解決手段】構造材の各中空部の端部内に嵌合される４つの連結部１２と、これらの連結部１２の２個宛を左右両側に一体化した本体１１と、この本体１１の内側面に形成されて、各構造材に形成してある一方の溝部に連続することになる内側溝部１３と、各連結部１２及び本体１１内に形成されて、構造材側の中空部に連続することになる中空部１４とを備えた。【選択図】図４
0003163148.tif 000002
【実用新案登録請求の範囲】
【請求項１】
２つの連続する中空部と、これら両中空部の間で連続する溝部とを有して直線状とした複数の構造材の各端部に連結されて、これらの構造材との組み合わせによって什器を構成する連結体であって、
前記構造材の各中空部の端部内に嵌合される合計４つの連結部と、これらの連結部の２個宛を左右両側に一体化した本体と、この本体の内側面に形成されて、前記各構造材に形成してある一方の溝部に連続することになる内側溝部と、前記各連結部及び本体内に形成されて、前記構造材側の中空部に連続することになる中空部とを備えたことを特徴とする連結体。
【考案の詳細な説明】
【技術分野】
【０００１】
本考案は、什器を構成するための連結体に関し、特に什器を構成する構造材の複数を簡単に連結するための連結体に関するものである。
【背景技術】
【０００２】
什器は、日常使用する家具や道具を言うものであるが、その他にも、衣服や身の回り品を陳列するために用いられる什器もある。このような言わば陳列什器では、シーズン毎に切り替わる衣服や身の回り品のために、その都度変化をさせる必要がある。
【０００３】
このような陳列什器や、家具として使用される什器においては、そのコーナー部の処理を如何にするが重要な問題となるものであり、その処理如何によっては、所謂「使い回し」できる効率的なものか、あるいは一回限りの使用しかできないものになるかが決定される。このような什器におけるコーナー部を如何に処理するかは、例えば特許文献１〜特許文献３にて提案されているような種々な工夫がなされてきている。
【先行技術文献】
【特許文献】
【０００４】
【特許文献１】特開２００５−１６３３０３号公報、要約、代表図
【特許文献２】特開２００５−２９６２１５号公報、要約、代表図
【特許文献３】特開２００９−４５２２０号公報、要約、代表図
【考案の概要】
【考案が解決しようとする課題】
【０００５】
特許文献１には、「傾斜端面を有するフレーム同士を、簡単な構造及び操作を通じて的確に連結することを可能にするフレーム連結構造を提供する」ことを目的とした「フレーム連結構造、枠体、脚体、接合体及び家具」が提案されている。
【０００６】
この特許文献１に記載されている「フレーム連結構造、枠体、脚体、接合体及び家具」では、図２０にも示すように、「一対のフレーム１、２の間を、コーナー連結部材３を介して所定角度に連結するに際して、フレーム１、２に、長手方向に対して傾斜した傾斜端面１１、２１を設け、コーナー連結部材３に、各フレーム１、２の長手方向に対して傾斜した傾斜端面３１ａ、３１ｂを設ける。そして、フレーム１、２とコーナー連結部材３の間に、フレーム１、２の長手方向に沿って対応する傾斜端面１１、３１ａ同士、２１、３１ｂ同士を密着させる方向の締め付け力を作用させる締め付け手段４と、その締め付け力によりフレーム１、２及びコーナー連結部材３が傾斜端面１１、３１ａ、２１、３１ｂを介して長手方向と直交する方向へ相対変位した際に両者の一部を当接させて所定位置に位置決めする位置決め手段５とを構成することとした」ものである。
【０００７】
しかしながら、この特許文献１に記載されている「フレーム連結構造、枠体、脚体、接合体及び家具」では、「傾斜端面を有するフレーム同士を的確に連結すること」はできるかもしれないが、その「連結」を行うためには、正確な加工と複雑な操作が必要になっていると考えられることから、「簡単な構造及び操作を通じて」行うことはできないのではないかと考えられる。
【０００８】
また、特許文献２には、「各板状部材を精度良く配置することができ、各板状部材の連結強度を高めることができるようにすること」を目的とした「家具のコーナー前部ユニット構造」が提案されている。
【０００９】
この特許文献２に記載された「家具のコーナー前部ユニット構造」では、図２１にも示すように、「中央収納領域１３に配置された引き出し２０は、相互に交わる方向に配置された第１及び第２の板状部材３０，３１と、これら板状部材３０，３１の内側端部３０Ａ，３１Ａ間に配置される連結部材３２とを含む前板２２を備えている。連結部材３２は、第１の板状部材３０の内側木口面３４に当接する第１の当接部４１と、この第１の当接部４１に連設され、第２の板状部材３１の内側木口面３４に当接する第２の当接部４３と、第１の当接部４１に連なる第１の連結部４５と、第２の当接部４３に連なる第２の連結部４６とを備えている。第１及び第２の連結部４５，４６は、第１及び第２の板状部材３０，３１の前面３０Ｂ，３１Ｂに沿って位置して当該第１及び第２の板状部材３０，３１に連結される」という構造を有するものである。
【００１０】
しかしながら、この特許文献２に記載されている「家具のコーナー前部ユニット構造」でも、「連結」を行うためには、正確な加工と複雑な操作が必要になっていると考えられる。
【００１１】
さらに、特許文献３には、「取り扱い性及び安全性に優れ、家具の一部としての用途にも適したプラスチック中空板を提供する」ことを目的とした「プラスチック中空板、及びプラスチック中空板の端部処理方法」が提案されている。
【００１２】
この特許文献３にて提案されている「プラスチック中空板、及びプラスチック中空板の端部処理方法」では、図２２にて示すように、「中空構造のプラスチック板本体２と、プラスチック板本体２の開放された端部を形成する各一辺の全域又は略全域を封止可能な略直線状の線状封止体３と、隣り合う線状封止体３の端部間に、これら端部同士を接続し得る状態で配されるコーナー接続体４とを具備してなり、各線状封止体３及び各コーナー接続体４として、外面部３３、コーナー外面部４４に、それぞれ厚み方向に広がりを有する部分円弧状のアール部３ａ、第１コーナーアール部４ａを有するものを適用した」ものである。
【００１３】
しかしながら、この特許文献３における「プラスチック中空板、及びプラスチック中空板の端部処理方法」では、「線状封止体３の端部同士を接続し得る状態で配されるコーナー接続体４」が必要であるが、この「コーナー接続体４」によって「線状封止体３の端部同士を接続し得る状態」に如何にするかは明確になっていない。
【００１４】
そこで、本考案者等は、この種の什器について、簡単に組み立てができることは勿論、その形態をバラエティ−に富んだものとすることができ、しかも、次の機会にも再使用する、つまり、「使い回し」が行えるようにするにはどうしたらよいか、について種々検討を重ねてきた結果、本考案を完成したのである。
【００１５】
すなわち、本考案の目的とするところは、直線状の構造材２０を多数連結することによってバラエティーに富んだ什器１００を簡単に構成することができて、しかもこの什器１００を簡単にばらすことができて、自身の使い回しを十分行うことのできる連結体１０を提供することにある。
【課題を解決するための手段】
【００１６】
以上の課題を解決するために、本考案の採った手段は、後述する最良形態の説明中で使用する符号を付して説明すると、
「２つの連続する中空部２１と、これら両中空部２１の間で連続する溝部２２とを有して直線状とした複数の構造材２０の各端部に連結されて、これらの構造材２０との組み合わせによって什器１００を構成する連結体１０であって、
構造材２０の各中空部２１の端部内に嵌合される４つの連結部１２と、これらの連結部１２の２個宛を左右両側に一体化した本体１１と、この本体１１の内側面に形成されて、各構造材２０に形成してある一方の溝部２２に連続することになる内側溝部１３と、各連結部１２及び本体１１内に形成されて、構造材２０側の中空部２１に連続することになる中空部１４とを備えたことを特徴とする連結体１０」
である。
【００１７】
すなわち、この連結体１０は、図３にも示すように、所定長さの構造材２０の端部に接続されるものであり、この接続を他の構造材２０にも繰り返すことにより、当該連結体１０が「コーナー部」を形成しながら、例えば、図１に示すような什器１００を構成することになるものである。このため、この連結体１０においては、図４の（ａ）にても示すように、その本体１１に一体化されている一対の各連結部１２の延長線が互いに直交（９０度で交差する）するものが一般的であるが、この延長線の交差角は、６０度や１２０度等のその他の角度も考えられるものである。
【００１８】
また、この連結体１０は、図４の（ａ）にて示すように、構造材２０の各中空部２１の端部内に嵌合される合計４つの連結部１２を本体１１に一体化したものであって、一対、つまり２つの連結部１２が、構造材２０の左右両端部に開口している各中空部２１（２つある）内にそれぞれ嵌合されることにより、当該連結体１０の構造材２０に対する取付角度は常に一定となる。つまり、各連結部１２が本体１１の両端部に２つ宛一体化してあることによって、当該連結体１０の構造材２０に対する取付角度は、これらの連結部１２を構造材２０側の各中空部２１内に嵌合するだけで一定のものとなるのであり、構造材２０に対する連結体１０の組み付け作業を非常に簡単にしているのである。
【００１９】
さらに、この連結体１０は、図４の（ａ）に示すように、本体１１の内側面に形成されて、各構造材２０に形成してある一方の溝部２２に連続することになる内側溝部１３を有しているのであるから、この内側溝部１３と、構造材２０側の溝部２２とによって、例えば、図１５の（ｂ）あるいは（ｄ）に示す天板４４や、図１１に示すような光飾２５あるいは配線２４の収納場所を確保し得るのである。勿論、この内側溝部１３及びこれに連続する構造材２０側の溝部２２は、例えば図１等に示す枠体３０としたとき、内側に存在することになって外からは殆ど見えないから、当該連結体１０を使用して構成した什器１００の外観をスッキリしたものとし得るのである。
【００２０】
そして、各連結体１０においては、図４の（ａ）にて示すように、各連結部１２及び本体１１内に形成されて、構造材２０側の中空部２１に連続することになる中空部１４を備えているのであるから、什器１００全体の軽量化を図ることができることは当然として、例えば図１等に示す枠体３０としたときに、内部に配線２４等を収納する連続空間が形成されるのである。この連続空間内に配線２４を通せば、例えば、構造材２０側の中空部２１内に収納したモータ２６等の電源を、外部からは見えない状態で確保することが可能となるのである。
【００２１】
以上のような連結体１０を採用すれば、２つの連続する中空部２１と、これら両中空部２１の間で連続する溝部２２とを有して直線状とした複数の構造材２０の各端部を容易に連結することができ、これらの連結体１０と構造材２０との複数の組み合わせによって、図１５〜図１８に示すような、バラエティーに富んだ什器１００は勿論、図１９に示すような什器兼用展示室２００をも構成し得るのである。
【００２２】
勿論、各連結体１０は、各構造材２０の端部から簡単に外すことができるのであるから、当該連結体１０自身の他の什器１００への使い回しは当然として、当該連結体１０によって連結されていた構造材２０についても、寸法さえ合わせることができれば、他の什器１００の構造材として再使用を可能にするものである。
【００２３】
従って、本考案に係る連結体１０は、直線状の構造材２０を多数連結することによってバラエティーに富んだ什器１００を簡単に構成することができて、しかもこの什器１００を簡単にばらすことができて、自身の使い回しを十分行うことのできるものとなっているのである。
【考案の効果】
【００２４】
以上説明した通り、本考案においては、
「２つの連続する中空部２１と、これら両中空部２１の間で連続する溝部２２とを有して直線状とした複数の構造材２０の各端部に連結されて、これらの構造材２０との組み合わせによって什器１００を構成する連結体１０であって、
構造材２０の各中空部２１の端部内に嵌合される合計４つの連結部１２と、これらの連結部１２の２個宛を左右両側に一体化した本体１１と、この本体１１の内側面に形成されて、各構造材２０に形成してある一方の溝部２２に連続することになる内側溝部１３と、各連結部１２及び本体１１内に形成されて、構造材２０側の中空部２１に連続することになる中空部１４とを備えたこと」
にその構成上の特徴があり、これにより、直線状の構造材２０を多数連結することによってバラエティーに富んだ什器１００を簡単に構成することができて、しかもこの什器１００を簡単にばらすことができて、自身の使い回しを十分行うことのできる連結体１０を提供することができるのである。
【図面の簡単な説明】
【００２５】
【図１】本考案に係る連結体１０の多数を使用して構成した什器１００の一例を示す斜視図である。
【図２】図１に示した什器１００を示すもので、（ａ）は正面図、（ｂ）は平面図である。
【図３】本考案に係る２つの連結体１０を一本の構造材２０に連結した状態を示すもので、（ａ）は斜視図、（ｂ）は（ａ）とは反対にしたものの斜視図である。
【図４】本考案に係る連結体１０を示すもので、（ａ）は斜視図、（ｂ）は平面図である。
【図５】同連結体１０を示すもので、（ａ）は側面図、（ｂ）は平面図、（ｃ）は正面図である。
【図６】同連結体１０の各部分を示すもので、（ａ）は図５の（ａ）中の１−１線部の部分拡大図、（ｂ）は図５の（ｃ）中の３−３線部の断面図、（ｃ）は図５の（ｃ）中の２−２線部の断面図である。
【図７】同連結体１０の蓋体１１ａを外した状態の各部分を示すもので、（ａ）は図５の（ｂ）中の４−４線部の断面図、（ｂ）は側面図、（ｃ）は（ｂ）中の５−５線に沿ってみた断面図、（ｄ）は（ｂ）中の６−６線に沿ってみた縦断面図である。
【図８】同連結体１０を構成する蓋体１１ａの斜視図である。
【図９】同蓋体１１ａを示すもので、（ａ）は側面図、（ｂ）は平面図、（ｃ）は正面図、（ｄ）は（ｃ）中の７−７線に沿ってみた断面図である。
【図１０】同連結体１０の第２実施例を示すもので、（ａ）は蓋体１１ａ側からみた斜視図、（ｂ）は同分解斜視図である。
【図１１】本考案に係る連結体１０によって連結される構造材２０の斜視図である。
【図１２】同構造材２０の外側に取付ケース２７を介してモータ２６を取り付けた端面図である。
【図１３】同構造材２０の外側に取り付けたモータ２６を示すもので、（ａ）は取付ケース２７の外側からみた斜視図、（ｂ）は底からみた斜視図、（ｃ）は断面図である。
【図１４】什器１００のためのベース材５０であって、（ａ）〜（ｄ）の４種類を示す斜視図である。
【図１５】本考案に係る連結体１０を使用して構成した什器１００の例を示すもので、（ａ）はマネキンベースの斜視図、（ｂ）はテーブルの斜視図である。
【図１６】１つの枠体３０を使用した衣服陳列用の什器１００を示すもので、（ａ）はハンガー４１が掛けられるようにしたものの斜視図、（ｂ）は棚４２を使用したものの斜視図である。
【図１７】２つの枠体３０を支持梁３１で連結した衣服陳列用の什器１００を示すもので、（ａ）は上側の支持梁３１ハンガー４１が掛けられるようにしたものの斜視図、（ｂ）は枠体３０に棚４２を支持させた斜視図である。
【図１８】同什器１００の、（ａ）〜（ｅ）の５種類の例を示す各斜視図である。
【図１９】本考案に係る連結体１０を使用して構成した什器兼用展示室２００の斜視図である。
【図２０】特許文献１に示された技術を示す部分拡大断面図である。
【図２１】特許文献２に示された技術を示す部分拡大断面図である。
【図２２】特許文献３に示された技術を示す平面図である。
【考案を実施するための形態】
【００２６】
次に、以上のように構成した本考案を、図面に示した実施の形態に従って説明する
と、図１には、本考案に係る連結体１０を採用して構成した枠体３０の複数を、大きさを変えて用意し、これらの枠体３０を「屏風」状に連結して構成した什器１００の斜視図が示してある。この什器１００における各枠体３０は、４つの連結体１０と、４本の構造材２０とを互いに連結して、文字通り「枠」形状にしたものである。
【００２７】
図４〜図９に示した実施例１に係る各連結体１０は、後述する構造材２０の各中空部２１の端部内に嵌合される合計４つの連結部１２と、これらの連結部１２の２個宛を左右両側に一体化した本体１１と、この本体１１の内側面に形成されて、各構造材２０に形成してある一方の溝部２２に連続することになる内側溝部１３と、各連結部１２及び本体１１内に形成されて、構造材２０側の中空部２１に連続することになる中空部１４とを備えたものである。
【００２８】
この連結体１０は、基本的には合成樹脂を材料として形成されるものであり、まず、図８に示した蓋体１１ａを除いた状態の、４つの連結部１２と本体１１と、内部の中空部１４を有するものとして一体化され、この一体化物に蓋体１１ａを固定することによって、中空部１４が各連結部１２の端部のみにて開口するものとして形成される。この一体化物を型成形するにあたって、各連結部１２の、図４の（ａ）、図５の（ｃ）、図６の（ｂ）、及び図７の（ｃ）に示した位置に、フクロナット１２ａがモールドされ、目印１２ｂが刻印される。
【００２９】
また、この連結体１０は、その本体１１部分が９０度の角度で曲がるように成形されるものであり、この本体１１の一端に一体化された各連結部１２の延長線と、本体１１の他端に一体化された各連結部１２の延長線とが９０度となるようになっている。本体１１の内側には、図４の（ａ）にて示したように、内側溝部１３が形成してあって、この内側溝部１３の底部は、図４の（ｂ）、図５の（ａ）、図６の（ｃ）等において示したように、当然、連結部１１ｂとなっている。
【００３０】
この本体１１には、図７の（ｄ）にも示したように、中空部１４となるべき空間が形成してあって、この空間の外側部分は「型抜き」のための開口としてある。この開口は、図８に示した蓋体１１ａによって覆蓋されるものであり、これによって、当該本体１１内には、各連結部１２の端部に形成してある開口に連続する中空部１４となるものである。
【００３１】
本実施形態の蓋体１１ａも合成樹脂を材料として成形されるものであるが、この蓋体１１ａは、図８及び図９に示したように、当該蓋体１１ａを本体１１側に確実に固定するための取付部１１ｄと、当該蓋体１１ａの強度を補償するための補強リブ１１ｃとを備えたものである。また、この蓋体１１ａは、図４の（ａ）、図５の（ｃ）、及び図８等に示したように、本体１１の外側外形に沿うような円の１／４形状に応じた端面形状を有したものであることは、言うまでもない。
【００３２】
本体１１の両端部にそれぞれ一対宛一体化された各連結部１２の端面形状は、例えば図６の（ａ）にて示したように、本体１１に一体化されている部分から構造材２０の厚み分だけ小さくなった正方形状にしてある。各連結部１２の外形が細くしてあるのは、後述する構造材２０の中空部２１内に挿入したとき、本体１１と構造材２０の表面が段差なく連続するようにさせるためである。また、各連結部１２の端面形状を正方形としたのは、当該連結体１０をひっくり返した状態で接続する場合にも、位置決め及び嵌合を簡単に行えるようにするためである。
【００３３】
各連結部１２の外側面には、フクロナット１２ａ及び目印１２ｂが設けたり形成したりしてあったが、フクロナット１２ａは、当該連結部１２を構造材２０の中空部２１内に挿入あるいは嵌合した後に、構造材２０の外側からネジ止めを行う場合に使用するものである。
【００３４】
また、目印１２ｂは、例えば当該連結体１０の中空部１４内に配線２４を通す場合の方向性等を示すものであり、本実施形態の目印１２ｂは、方向性を示す「三角矢印」としてある。本実施例１に係る連結体１０の中空部１４の一方の端部には、図７の（ｃ）に示したように、中に段があり、他方の端部には、図７の（ａ）に示したように、中に傾斜面が存在したものとしてある。このため、もし、配線２４を通すとすれば、図７の（ａ）及び（ｃ）中に示した矢印方向にすればよいのであるが、その状態は外からは見えない。そこで、当該連結体１０の外側に目印１２ｂを付しておいて、これを利用するようにすれば、配線の通しを無理なく円滑に行えるのである。
【００３５】
図１０に示した実施例２に係る連結体１０も、本体１１と、後述する構造材２０の各中空部２１の端部内に嵌合される合計４つの連結部１２と、本体１１の内側面に形成されて、各構造材２０に形成してある一方の溝部２２に連続することになる内側溝部１３と、本体１１内に形成されて、構造材２０側の中空部２１に連続することになる中空部１４とを備えたものである。
【００３６】
この実施例２に係る連結体１０では、図１０の（ｂ）に示したように、内部に補強材１０ａが入れられるものである。この補強材１０ａは、金属等の剛性の高い材料によって形成したものであり、本体１１の中空部１４内に収納されて蓋体１１ａによって覆われることにより、当該連結体１０内に完全に入り込むものである。そして、この補強材１０ａの両側には、それぞれ２本宛の連結部１２が突出形成されることになるものである。
【００３７】
従って、この実施例２に係る連結体１０では、図１０の（ａ）に示したように、連結部１２の２個宛が、本体１１の左右両側から所定角度（この第２実施例では９０度）で本体１１から突出した状態となるのである。勿論、このような補強材１０ａを内蔵した連結体１０は、その剛性が非常に高いものとなっていることは言うまでもない。
【００３８】
以上の連結体１０によって連結される構造材２０は、図１１及び図１２に示したように、切断端面でみたときに、中空部２１を形成するための筒部２本を、中央の橋架部にて互いに平行になるようにした形状を有したものであり、例えばアルミニウムを材料として、引き抜き若しくは押し出しで連続成形されるものである。
【００３９】
また、この構造材２０は、中空部２１を形成するための筒部２本の間に上下２本の溝部２２を形成したものである。各溝部２２には段部２２ａが形成してあって、各溝部２２の内部に当該溝部２２の開口より断面の大きい部屋を、当該溝部２２の内部に形成するようにしている。この溝部２２内の部屋には、図１１に示したように、配線２４や光飾２５等の線状材が収納されることがあるものであり、これらの配線２４や光飾２５等の線状材は、例えば枠体３０とした連結体１０側の内側溝部１３内にも通されることになる。なお、光飾２５としては、端部の電源によって全体が光る合成樹脂性の線材や、多数の光源を埋め込んだ可撓性板材等がある。
【００４０】
さらに、この構造材２０には、図１１及び図１２に示したように、その中空部２１内や表面に、モータ２６を収納したり設置したりされることがあり、このモータ２６によって、後述するマネキン４０やハンガー４１を回転させるようにもなされる。このようなモータ２６への電源は、上述した配線２４によって取られることになる。
【００４１】
そして、この構造材２０の適宜箇所には、図１１に示したように、必要のある取付具２３が取り付けられるのであり、この取付具２３によって、例えば上述したモータ２６の取付や、図１に示すような複数の枠体３０の連結がなされることになる。
【００４２】
なお、上述したモータ２６は、図１２及び図１３に示したように、取付ケース２７内に収納して、この取付ケース２７を構造材２０の外側に取り付けることにより、構造材２０に取り付けるようにすることもなされる。この取付ケース２７には、図１３の（ｃ）にて示したように、構造材２０の溝部２２内に挿入されるナット２７ａに螺着されるネジ２７ｂのための穴が開けてあり、またモータ２６のモータ軸２６ａが突出される穴も開けてある。勿論、このモータ軸２６ａにはカップリング２６ｂが取り付けられる。
【００４３】
以上のような構造材２０に対する本考案に係る連結体１０の連結の基本は、図３に示した通りである。すなわち、一本の構造材２０の両端に連結体１０がそれぞれ取り付けるのであるが、その場合、連結体１０側の各連結部１２を、構造材２０側の中空部２１内に嵌合するのである。ここで、嵌合したままの連結体１０は構造材２０から抜け易いので、構造材２０の外側から連結体１０のフクロナット１２ａに向けてビスをねじ込むことによって、両者の固定を行うのである。勿論、各連結体１０や構造材２０を再使用する場合には、上記ネジを外すことにより連結体１０と構造材２０とを分離するのであるが、その作業はドライバー１本でできる。
【００４４】
図３の（ａ）に示したように、各連結体１０の無接続端部が構造材２０の両端で図示下方に下がる場合には、各連結体１０に形成してあった内側溝部１３は、図３の（ｂ）に示したように、構造材２０の一方の溝部２２に連続することになる。これとは異なって、各連結体１０の無接続端部が構造材２０の両端で互いに反対方向に向かう連結を行った場合には、各連結体１０の内側溝部１３は、構造材２０の別々の溝部２２に連続することになる。
【００４５】
図３の（ａ）に示したような基本連結構造を敷衍することによって、図１に示したような枠体３０が完成する。図１に示した各枠体３０については、必要ならば支持梁３１を連結することによってその補強が行われる。その際に使用されるのが、図１１に示した連結部材３２なのである。また、この連結部材３２を使用してマネキン４０が連結された枠体３０とすることができるが、このマネキン４０を連結している連結部材３２を、図１１及び図１３に示したモータ２６によって回転するようにすれば、枠体３０に連結されたマネキン４０が回転する什器１００が形成できる。
【００４６】
図１に示した各枠体３０について、大きさを変更して上述した支持梁３１や連結部材３２によって互いの連結を行えば、この図１に示した什器１００は、図２にも示したような「屏風」状のものとすることができるのである。また、いずれかの枠体３０について、連結体１０の内側溝部１３及び構造材２０の溝部２２内に光飾２５を沿わせれば、その内側にて光飾が行え、当該什器１００の陳列効果をより一層大きくすることができる。
【００４７】
図１５の（ａ）に示したマネキンベースとして使用される什器１００でも、本考案に係る連結体１０を採用して構成しているものであり、図１に示した什器１００の付近に置いておけば、統一された陳列空間が形成される。図１５の（ｂ）に示したテーブルとして使用される什器１００でも、本考案に係る連結体１０を採用して構成して、統一された陳列空間を形成する。
【００４８】
図１６では、１つの枠体３０を使用した什器１００が示してあるが、この図１６の（ａ）に示した什器１００は、縦長に用いた枠体３０の中央に支持梁３１を立てて、この支持梁３１にハンガー４１を設けたものである。このハンガー４１は、内部のモータ２６によって回転することもある。図１６の（ｂ）に示した什器１００は、縦長に用いた枠体３０の上部に別の小さい枠体３０を、外側にハンガー４１を設けたもので、下側に複数の棚４２を設けたものである。なお、それぞれの什器１００の下端には立設させるための脚４３が取り付けてある。
【００４９】
図１７では、２つの枠体３０を使用した什器１００が示してある。図１７の（ａ）では、大きさの同じ２つの枠体３０を支持梁３１によって連結してキャスターによって移動自在にした什器１００が示してあり、図１７の（ｂ）では、棚４２を設けた什器１００が示してある。
【００５０】
以上の什器１００の例示の他に、図１８の（ａ）〜（ｅ）に示したような、種々の形態の什器１００が考えられるが、いずれも、本考案に係る連結体１０を使用しているものである。
【００５１】
そして、図１９には、本考案に係る連結体１０を使用した什器兼用展示室２００が示してある。この什器兼用展示室２００は、上述した枠体３０（単独の構造材２０を採用している）は勿論のこと、２本の構造材２０を互いに連結した柱材をも採用したものであり、これらの柱材や枠体３０を構成している各連結体１０の連結方向を変えながら一つの展示室を形成するようにしたものである。このため、この什器兼用展示室２００においては、その一部分が前記の種々な例で示したような什器１００を構成しているものであり、当該什器兼用展示室２００内に入れば、各什器１００による種々な展示品を楽しむことができるものである。
【符号の説明】
【００５２】
１００    什器
１０    連結体
１０ａ  補強材
１１    本体
１１ａ  蓋体
１１ｂ  連結部
１１ｃ  補強リブ
１１ｄ  取付部
１２    連結部
１２ａ  フクロナット
１２ｂ  目印
１３    内側溝部
１４    中空部
２０    構造材
２１    中空部
２２    溝部
２２ａ  段部
２３    取付具
２４    配線
２５    光飾
２６    モータ
２６ａ  モータ軸
２６ｂ  カップリング
２７    取付ケース
２７ａ  ナット
２７ｂ  ネジ
３０    枠体
３１    支持梁
３２    連結部材
４０    マネキン
４１    ハンガー
４２    棚
４３    脚
４４    天板
５０    ベース材
２００    什器兼用展示室
【図１】
0003163148.tif 000003
【図２】
0003163148.tif 000004
【図３】
0003163148.tif 000005
【図４】
0003163148.tif 000006
【図５】
0003163148.tif 000007
【図６】
0003163148.tif 000008
【図７】
0003163148.tif 000009
【図８】
0003163148.tif 000010
【図９】
0003163148.tif 000011
【図１０】
0003163148.tif 000012
【図１１】
0003163148.tif 000013
【図１２】
0003163148.tif 000014
【図１３】
0003163148.tif 000015
【図１４】
0003163148.tif 000016
【図１５】
0003163148.tif 000017
【図１６】
0003163148.tif 000018
【図１７】
0003163148.tif 000019
【図１８】
0003163148.tif 000020
【図１９】
0003163148.tif 000021
【図２０】
0003163148.tif 000022
【図２１】
0003163148.tif 000023
【図２２】
0003163148.tif 000024